(57)【要約】【課題】強度に優れ、使用時の組み立ても簡単な段ボール製トレーを提供する。【解決手段】底壁１の周囲に各一対の側壁２及び端壁３を設け、側壁２を、底壁１側から順次連設した外側板４、頂板５及び内側板６から成るものとし、外側板４の側端から延出した内折片７と、端壁３の側端から延出した折返片８とを斜め方向の隅折線９を介して繋ぎ、外側板４の裏面に内折片７を貼り付け、内折片７と折返片８とを隅折線９沿いに谷折りしつつ重ね合わせて、外側板４と内側板６との間に挟み込み、端壁３の上端から延びる桟板１０の両側に突設した差込片１１を、側壁２の頂板５に設けた差込穴１２に差し込んで保形する段ボール製トレーにおいて、内側板６の側端から内重片１５を延出して、内折片７と内重板１５とを繋ぎ、内側板６と内重片１５の境界に切抜部１６を設け、内重片１５を内側へ折り曲げて、内側板６の裏面に貼り付ける。【選択図】図４
2008114909.tif 000002
【特許請求の範囲】
【請求項１】
底壁(1)の周囲に各一対の側壁(2)及び端壁(3)を設け、側壁(2)を、底壁(1)側から順次連設した外側板(4)、頂板(5)及び内側板(6)から成るものとし、外側板(4)の側端から延出した内折片(7)と、端壁(3)の側端から延出した折返片(8)とを斜め方向の隅折線(9)を介して繋ぎ、外側板(4)の裏面に内折片(7)を貼り付け、内折片(7)と折返片(8)とを隅折線(9)沿いに谷折りしつつ重ね合わせて、外側板(4)と内側板(6)との間に挟み込み、端壁(3)の上端から延びる桟板(10)の両側に突設した差込片(11)を、側壁(2)の頂板(5)に設けた差込穴(12)に差し込んで保形する段ボール製トレーにおいて、
前記内側板(6)の側端から内重片(15)を延出して、内側板(6)と内重片(15)の境界に切抜部(16)を設け、内重片(15)を内側へ折り曲げて、内側板(6)の裏面に貼り付けたことを特徴とする段ボール製トレー。
【発明の詳細な説明】
【技術分野】
【０００１】
この発明は、農産物等、各種物品の運搬・保管等に使用する段ボール製トレーに関するものである。
【背景技術】
【０００２】
従来、野菜、果物等の運搬に使用する段ボール製トレーとして、下記特許文献１に記載されたようなものが提案されている。このトレーは、図６に示すように、底壁５１の周囲に各一対の側壁５２及び端壁５３を設けたものであり、側壁５２は、底壁５１側から外側板５４、頂板５５及び内側板５６を順次連設したものとされている。
【０００３】
外側板５４の側端から延出した内折片５７と、端壁５３の側端から延出した折返片５８とは、三角状の小片であり、斜め方向の隅折線５９を介して繋がれている。内側板５６の両側には、先端からの切目６０と斜め方向の逃折線６１とが入れられている。
【０００４】
また、端壁５３の上端から延びる桟板６２の両側には差込片６３が突設され、側壁５２の頂板５５には、差込穴６４が設けられている。
【０００５】
このトレーのブランクは、製造工程において、端壁５３及び内折片５７と、内側板５６とを内側へ倒すように順次折り曲げて、外側板５４の裏面に、内折片５７と内側板５６の中間部分とを貼り付ける加工を施すことにより、扁平な折畳状態とされている。
【０００６】
そして、このトレーの組み立てに際しては、内側板５６の両側部分を逃折線６１の折れ曲がりに伴い逃がしつつ、端壁５３を引き起こすことにより、内折片５７と折返片５８とを隅折線５９沿いに谷折りしつつ重ね合わせて、内側板５６の両側部分の折り曲がりを戻し、内折片５７と折返片５８とを外側板５４と内側板５６との間に挟み込み、桟板６２を内側水平方向へ折り曲げ、差込片６３を差込穴６４に差し込んで保形する。
【０００７】
【特許文献１】特許第３８２０５７３号公報
【発明の開示】
【発明が解決しようとする課題】
【０００８】
しかしながら、上記のようなトレーでは、使用時に、内側板の両側端部で端壁の揺動を十分に抑制できないことから、変形が生じやすく、また、農家等での組み立てに際し、内側板の両側の曲げ戻しが煩わしく感じられるという問題がある。
【０００９】
そこで、この発明は、強度に優れ、使用時の組み立ても簡単な段ボール製トレーを提供することを課題とする。
【課題を解決するための手段】
【００１０】
上記課題を解決するため、この発明は、底壁の周囲に各一対の側壁及び端壁を設け、側壁を、底壁側から順次連設した外側板、頂板及び内側板から成るものとし、外側板の側端から延出した内折片と、端壁の側端から延出した折返片とを斜め方向の隅折線を介して繋ぎ、外側板の裏面に内折片を貼り付け、内折片と折返片とを隅折線沿いに谷折りしつつ重ね合わせて、外側板と内側板との間に挟み込み、端壁の上端から延びる桟板の両側に突設した差込片を、側壁の頂板に設けた差込穴に差し込んで保形する段ボール製トレーにおいて、前記内側板の側端から内重片を延出して、内側板と内重片の境界に切抜部を設け、内重片を内側へ折り曲げて、内側板の裏面に貼り付けたのである。
【発明の効果】
【００１１】
この段ボール製トレーでは、内側板の裏面に内重片が重ね合わされているので、内側板の両側端部が強くなり、端壁の揺動が抑制されるほか、側壁が三重構造となるので、偏った荷重が作用したとき等における変形が防止される。
【００１２】
また、製造時の折畳状態から端壁を引き起こし、内側板を下方へ折り曲げるだけで、各一対の側壁及び端壁が起立状態に形成され、内側板を折り曲げる際、切抜部により差込片との衝突が回避されるので、使用に際し、簡単かつ迅速に組み立てることができ、使用後には、逆の手順で簡単に解体できる。
【発明を実施するための最良の形態】
【００１３】
以下、この発明の実施形態を添付図面に基づいて説明する。
【００１４】
このトレーは、図１に示すような段ボールシートのブランクから形成される。このブランクでは、長方形とされた底壁１の対向する長辺に側壁２が、短辺に端壁３がそれぞれ連設され、側壁２は、底壁１側から外側板４、頂板５及び内側板６が順次連設されたものとされている。
【００１５】
外側板４の両側端には内折片７が、端壁３の両側端には折返片８がそれぞれ連設され、内折片７と折返片８とは、底壁１の角から斜め４５°の角度で延びる隅折線９を介して繋がれている。内折片７と折返片８とは、変形三角状の小片とされている。
【００１６】
端壁３の先端には桟板１０が連設され、桟板１０の両側端には差込片１１が連設されている。頂板５には、両側にコ字状の切込による差込穴１２が設けられ、その内側には、積みずれ防止用の係止突起１３が設けられている。
【００１７】
内側板６には、先端両側部に保形用の係止突起６ａが、中間部に解体用の指穴６ｂが設けられ、底壁１と外側板４の境界両側部には、係止突起６ａ，１３が嵌合する係止穴１４が設けられている。
【００１８】
内側板６の両側端には、長方形状の内重片１５が連設され、内折片７と内重板１５とは頂板５の延長部を介して繋がれ、内側板６と内重片１５の境界には、上下方向に長い切抜部１６が設けられている。
【００１９】
上記のようなブランクを製造する際には、四隅部分において、内重片１５から内折片７へかけて、その裏面の接着部Ｇに接着剤を塗布する。この工程では、両側の接着部Ｇが端壁３及び折返片８を挟んで分散しているため、ワンタッチグルアに別途備えたノズルから接着剤を断続的に噴射する。
【００２０】
そして、図２に示すように、両側の端壁３と内折片７及び内重片１５とを内側へ倒すように折り曲げて、外側板４の裏面に、内折片７及び内重片１５を接着部Ｇの接着力で貼り付ける。このような折畳状態では、嵩張ることがなく、トレーを使用する業者の梱包作業場所へ効率的に輸送し、保管しておくことができる。
【００２１】
一方、農産物の出荷等に際し、このトレーを組み立てるには、上記折畳状態から、図３及び図４に示すように、対向する端壁３を引き起こして、内折片７と折返片８とを隅折線９沿いに谷折りしつつ重ね合わせ、これに伴い、対向する外側板４を起立させる。
【００２２】
次に、図５に示すように、内側板６を内側下方へ折り曲げて、頂板５を水平に向け、内折片７と折返片８とを外側板４と内側板６との間に挟み込み、係止突起６ａを係止穴１４に係合させて、内側板６の迫り出しを防止し、桟板１０を内側水平方向へ折り曲げ、差込片１１を差込穴１２に差し込んで保形する。
【００２３】
このように、上記段ボール製トレーは、製造時の折畳状態から端壁３を引き起こし、内側板６を下方へ折り曲げるだけで、各一対の側壁２及び端壁３が起立状態に形成され、また、内側板６を折り曲げる際、凹所となった切抜部１６により差込片１１との衝突が回避されるので、使用に際し、簡単かつ迅速に組み立てることができる。
【００２４】
また、組立状態では、内側板６の裏面に内重片１５が重ね合わされているので、内側板６の両側端部が強くなり、端壁３の揺動が抑制されるほか、側壁２が外側板４、内重片１５及び内側板６が重なり合った三重構造となるので、十分な強度が確保される。
【００２５】
そして、使用後には、指穴６ｂを利用しつつ、組立順序とは逆の手順により簡単に解体して、嵩張らない状態で再生処理の回収業者等に引き渡すことができる。
【図面の簡単な説明】
【００２６】
【図１】この発明に係る段ボール製トレーのブランクを示す図
【図２】同上の折畳状態を示す斜視図
【図３】同上の組立過程を示す斜視図
【図４】同上の組立過程を示す斜視図
【図５】同上の組立状態を示す斜視図
【図６】従来の段ボール製トレーの組立状態を示す斜視図
【符号の説明】
【００２７】
１  底壁
２  側壁
３  端壁
４  外側板
５  頂板
６  内側板
６ａ  係止突起
６ｂ  指穴
７  内折片
８  折返片
９  隅折線
１０  桟板
１１  差込片
１２  差込穴
１３  係止突起
１４  係止穴
１５  内重片
１６  切抜部
Ｇ  接着部
【図１】
2008114909.tif 000003
【図２】
2008114909.tif 000004
【図３】
2008114909.tif 000005
【図４】
2008114909.tif 000006
【図５】
2008114909.tif 000007
【図６】
2008114909.tif 000008